(57)【要約】      （修正有）【課題】光電変換部の電荷蓄積期間の終了タイミングを適切なタイミングにしやすくする焦点検出装置を提供する。【解決手段】複数の単位セルと、演算回路と、を有し、前記複数の単位セルの各々は、光電変換部と、前記光電変換部に蓄積された電荷を転送する転送スイッチと、前記転送スイッチがオンすることによって転送された電荷に基づく信号を出力する出力部とを有し、前記出力部は、電荷蓄積期間に含まれる複数の副蓄積期間のそれぞれで得られた電荷に各々が基づく複数の信号を出力し、前記演算回路が、前記複数の信号の信号レベルに基づいて、前記電荷蓄積期間の長さを決定する。【選択図】図２
2015059961.tif 000002
【特許請求の範囲】
【請求項１】
複数の単位セルと、演算回路と、を有し、
前記複数の単位セルの各々は、
光電変換部と、
前記光電変換部に蓄積された電荷を転送する転送スイッチと、
前記転送スイッチがオンすることによって転送された電荷に基づく信号を出力する出力部とを有し、
前記出力部は、電荷蓄積期間に含まれる複数の副蓄積期間のそれぞれで得られた電荷に各々が基づく複数の信号を出力し、
前記演算回路が、前記複数の信号の信号レベルに基づいて、前記電荷蓄積期間の長さを決定することを特徴とする焦点検出装置。
【請求項２】
前記焦点検出装置はさらに、各々が前記複数の単位セルの各々に対応して設けられた複数の積算回路を有し、
前記複数の積算回路の各々は、前記出力部から出力された前記複数の信号を積算した積算信号を生成し、
前記演算回路が、前記複数の積算回路が生成した複数の前記積算信号の信号レベルに基づいて、前記電荷蓄積期間の終了タイミングを決定することを特徴とする請求項１に記載の焦点検出装置。
【請求項３】
前記演算回路が、前記複数の積算回路の各々が生成する前記積算信号のうちの最大値に基づいて、前記電荷蓄積期間の終了タイミングを決定することを特徴とする請求項２に記載の焦点検出装置。
【請求項４】
前記演算回路が、前記複数の積算回路の各々が生成する前記積算信号のうちの最小値と最大値に基づいて、前記電荷蓄積期間の終了タイミングを決定することを特徴とする請求項２または３に記載の焦点検出装置。
【請求項５】
前記演算回路が、前記積算信号の振幅が第１の信号レベルに達したタイミングと、前記積算信号の振幅が第２の信号レベルに達したタイミングとから、前記電荷蓄積期間の終了タイミングを決定することを特徴とする請求項２に記載の焦点検出装置。
【請求項６】
前記複数の副蓄積期間のうちの第１の副蓄積期間に蓄積した前記電荷に基づいて前記出力部が出力する信号の信号レベルに基づいて、前記演算回路が、前記複数の副蓄積期間のうち、前記第１の副蓄積期間の後に行う前記副蓄積期間の終了タイミングを決定することを特徴とする請求項１〜５のいずれかに記載の焦点検出装置。
【請求項７】
複数の単位セルと、演算回路とを有し、
前記複数の単位セルの各々は、
副蓄積期間に入射光に基づく電荷を蓄積する光電変換部と、
前記光電変換部に蓄積された電荷を転送する転送スイッチと、
前記転送スイッチがオンすることによって転送された電荷に基づく信号を出力する出力部とを有し、
前記演算回路が、前記副蓄積期間の後に行う、前記光電変換部が前記電荷を蓄積する電荷蓄積期間の長さを、前記複数の単位セルの各々の前記出力部が出力する前記信号の信号レベルに基づいて決定することを特徴とする焦点検出装置。
【請求項８】
前記複数の単位セルの各々はノイズ信号をさらに出力し、
前記焦点検出装置が、前記電荷蓄積期間に生成した前記電荷に基づく信号と前記ノイズ信号との差の信号を生成するＣＤＳ回路をさらに有することを特徴とする請求項１〜７のいずれかに記載の焦点検出装置。
【請求項９】
複数の単位セルと、演算回路とを有し、
前記複数の単位セルの各々は、
副蓄積期間に入射光に基づく電荷を蓄積する光電変換部と、
前記光電変換部に蓄積された電荷を転送する転送スイッチと、
前記転送スイッチがオンすることによって転送された電荷に基づく信号を出力する出力部とを有し、
前記出力部は、電荷蓄積期間に含まれる複数の副蓄積期間のそれぞれで得られた電荷を積算した電荷に基づく信号を出力し、
前記演算回路が、前記光電変換部が前記電荷を蓄積する電荷蓄積期間の長さを、前記複数の単位セルの各々の前記出力部が出力する前記信号の信号レベルに基づいて決定することを特徴とする焦点検出装置。
【請求項１０】
請求項１〜９のいずれかに記載の焦点検出装置と、
前記焦点検出装置が出力する信号を処理することで焦点検出を行う演算処理部と、を有することを特徴とする光電変換システム。
【請求項１１】
前記光電変換システムは、さらに前記焦点検出装置に入射光を導く光学系と、駆動部と、を有し、
前記演算処理部の焦点検出の結果に基づいて、前記駆動部が前記光学系を駆動することを特徴とする請求項１０に記載の光電変換システム。
【請求項１２】
複数の単位セルを有し、
前記複数の単位セルの各々は、
光電変換部と、
前記光電変換部に蓄積された電荷を転送する転送スイッチと、
前記転送スイッチがオンすることによって転送された電荷に基づく信号を出力する出力部とを有する焦点検出装置の駆動方法であって、
前記出力部は、電荷蓄積期間に含まれる複数の副蓄積期間のそれぞれで得られた電荷に各々が基づく複数の信号を出力し、
前記複数の信号の信号レベルに基づいて、前記光電変換部が前記電荷を蓄積する前記電荷蓄積期間の終了タイミングを決定することを特徴とする焦点検出装置の駆動方法。
【請求項１３】
前記焦点検出装置は、
同一の前記単位セルが前記副蓄積期間ごとに出力する前記信号同士を積算した積算信号を、前記複数の単位セルのそれぞれについて生成することによって複数の積算信号を生成し、
前記複数の積算信号の信号レベルに基づいて、前記光電変換部が前記電荷を蓄積する前記電荷蓄積期間の長さを決定することを特徴とする請求項１２に記載の焦点検出装置の駆動方法。
【請求項１４】
前記複数の積算信号のうち、最大値の前記積算信号に基づいて、前記電荷蓄積期間の終了タイミングを決定することを特徴とする請求項１３に記載の焦点検出装置の駆動方法。
【請求項１５】
前記複数の積算信号のうち、最小値と最大値の前記積算信号に基づいて、前記電荷蓄積期間の終了タイミングを決定することを特徴とする請求項１３または１４に記載の焦点検出装置の駆動方法。
【請求項１６】
前記積算信号の振幅が第１の信号レベルに達したタイミングと、前記積算信号の振幅が第２の信号レベルに達したタイミングとから、前記電荷蓄積期間の終了タイミングを決定することを特徴とする請求項１３に記載の焦点検出装置の駆動方法。
【請求項１７】
前記複数の副蓄積期間のうちの第１の副蓄積期間に蓄積した前記電荷に基づいて前記単位セルが出力する信号の信号レベルに基づいて、前記複数の副蓄積期間のうち、前記第１の副蓄積期間の後に行う前記副蓄積期間の終了タイミングを決定することを特徴とする請求項１２〜１６のいずれかに記載の焦点検出装置の駆動方法。
【請求項１８】
複数の単位セルを有し、
前記複数の単位セルの各々は、
副蓄積期間に入射光に基づく電荷を蓄積する光電変換部と、
前記光電変換部に蓄積された電荷を転送する転送スイッチと、
前記転送スイッチがオンすることによって転送された電荷に基づく信号を出力する出力部とを有する焦点検出装置の駆動方法であって、
前記副蓄積期間の後に行う、前記光電変換部が前記電荷を蓄積する電荷蓄積期間の長さを、前記複数の単位セルの各々の前記信号の信号レベルに基づいて決定することを特徴とする焦点検出装置の駆動方法。
【発明の詳細な説明】
【技術分野】
【０００１】
本発明は、光電変換によって入射光に基づく電荷を生成する焦点検出装置に関する。
【背景技術】
【０００２】
特許文献１には、第１の光電変換部と、第１の光電変換部に近接して設けられた第２の光電変換部とを有する焦点検出装置が記載されている。特許文献１の焦点検出装置は、第２の光電変換部の電荷蓄積期間中、第１の光電変換部の電荷に基づく信号の信号レベルを閾値と比較している。そして、第１の光電変換部の電荷に基づく信号の信号レベルが閾値を越えた時に、第２の光電変換部の電荷蓄積期間を終了する。電荷蓄積期間が終了したのち、第２の光電変換部に蓄積された電荷は、転送スイッチを介して、電荷に基づく信号を出力する出力部の入力ノードに転送される。
【０００３】
特許文献２の焦点検出装置は、電荷蓄積期間に電荷を蓄積する光電変換部を有するとともに、電荷蓄積期間中、電荷に基づく信号を出力し続ける単位セルを有する。さらに、特許文献２の焦点検出装置は、電荷に基づく信号と閾値とを比較するモニタ部を有する。そして特許文献２の光電変換装置では、電荷に基づく信号が閾値よりも振幅が大きくなると、モニタ部が光電変換部の電荷蓄積期間を終了させる。
【先行技術文献】
【特許文献】
【０００４】
【特許文献１】特開２０１２−４８０６４号公報
【特許文献２】特開２０１１−１３９４２７号公報
【発明の概要】
【発明が解決しようとする課題】
【０００５】
特許文献１の焦点検出装置は、第２の光電変換部の電荷蓄積期間の終了タイミングを、第２の光電変換部とは別に設けられた第１の光電変換部の電荷に基づく信号を用いて決めている。従って、第１の光電変換部と第２の光電変換部との入射光の光量が異なると、第２の光電変換部の電荷蓄積期間が、適切ではないタイミングで終了する場合がある。
【０００６】
特許文献２の焦点検出装置は、単位セル内に設けられた、光電変換部の電荷に基づく信号を出力する出力部に、光電変換部が蓄積した電荷を転送する転送スイッチを有する単位セルを含む焦点検出装置の記載はない。
【０００７】
本発明は、単位セルが転送スイッチを備える焦点検出装置において、従来よりも、光電変換部の電荷蓄積期間の終了タイミングを、より適切なタイミングにしやすくすることを目的とする。
【課題を解決するための手段】
【０００８】
本発明は、上記の課題を解決するために為されたものであり、その一の態様は、複数の単位セルと、演算回路と、を有し、前記複数の単位セルの各々は、光電変換部と、前記光電変換部に蓄積された電荷を転送する転送スイッチと、前記転送スイッチがオンすることによって転送された電荷に基づく信号を出力する出力部とを有し、前記出力部は、電荷蓄積期間に含まれる複数の副蓄積期間のそれぞれで得られた電荷に各々が基づく複数の信号を出力し、前記演算回路が、前記複数の信号の信号レベルに基づいて、前記電荷蓄積期間の長さを決定することを特徴とする焦点検出装置である。
【０００９】
また、一の態様は、複数の単位セルと、演算回路とを有し、前記複数の単位セルの各々は、副蓄積期間に入射光に基づく電荷を蓄積する光電変換部と、前記光電変換部に蓄積された電荷を転送する転送スイッチと、前記転送スイッチがオンすることによって転送された電荷に基づく信号を出力する出力部とを有し、前記演算回路が、前記副蓄積期間の後に行う、前記光電変換部が前記電荷を蓄積する電荷蓄積期間の長さを、前記複数の単位セルの各々の前記出力部が出力する前記信号の信号レベルに基づいて決定することを特徴とする焦点検出装置である。
【００１０】
また、一の態様は、複数の単位セルと、演算回路とを有し、前記複数の単位セルの各々は、副蓄積期間に入射光に基づく電荷を蓄積する光電変換部と、前記光電変換部に蓄積された電荷を転送する転送スイッチと、前記転送スイッチがオンすることによって転送された電荷に基づく信号を出力する出力部とを有し、前記出力部は、電荷蓄積期間に含まれる複数の副蓄積期間のそれぞれで得られた電荷を積算した電荷に基づく信号を出力し、前記演算回路が、前記光電変換部が前記電荷を蓄積する電荷蓄積期間の長さを、前記複数の単位セルの各々の前記出力部が出力する前記信号の信号レベルに基づいて決定することを特徴とする焦点検出装置である。
【００１１】
また、一の態様は、複数の単位セルを有し、前記複数の単位セルの各々は、光電変換部と、前記光電変換部に蓄積された電荷を転送する転送スイッチと、前記転送スイッチがオンすることによって転送された電荷に基づく信号を出力する出力部とを有する焦点検出装置の駆動方法であって、前記出力部は、電荷蓄積期間に含まれる複数の副蓄積期間のそれぞれで得られた電荷に各々が基づく複数の信号を出力し、前記複数の信号の信号レベルに基づいて、前記光電変換部が前記電荷を蓄積する前記電荷蓄積期間の長さを決定することを特徴とする焦点検出装置の駆動方法である。
【００１２】
また、一の態様は、複数の単位セルを有し、前記複数の単位セルの各々は、副蓄積期間に入射光に基づく電荷を蓄積する光電変換部と、前記光電変換部に蓄積された電荷を転送する転送スイッチと、前記転送スイッチがオンすることによって転送された電荷に基づく信号を出力する出力部とを有する焦点検出装置の駆動方法であって、前記副蓄積期間の後に行う、前記光電変換部が前記電荷を蓄積する電荷蓄積期間の長さを、前記複数の単位セルの各々の前記信号の信号レベルに基づいて決定することを特徴とする焦点検出装置の駆動方法である。
【発明の効果】
【００１３】
本発明により、光電変換部の電荷蓄積期間の終了タイミングを、より適切なタイミングにしやすくすることができる。
【図面の簡単な説明】
【００１４】
【図１】光電変換システムの構成の一例の図
【図２】焦点検出装置の構成の一例の図と焦点検出装置の動作の一例の図
【図３】焦点検出装置の動作の一例の図
【図４】焦点検出装置の動作の一例の図
【図５】焦点検出装置の動作の一例の図
【図６】焦点検出装置の動作の一例の図
【図７】焦点検出装置の信号処理部の構成の一例の図
【図８】焦点検出装置の構成の一例の図
【発明を実施するための形態】
【００１５】
以下、図面を参照しながら、各実施例の焦点検出装置を説明する。
【００１６】
（実施例１）
図１は、本実施例の焦点検出装置を有する光電変換システムを示した図である。
【００１７】
図１の光電変換システムは、焦点検出装置１を有する。焦点検出装置１は、複数の単位セル１００を備える。光電変換システムはさらに撮像レンズ２、二次結合レンズ３，４を有する。被写体５からの入射光は、撮像レンズ２を介して、二次結合レンズ３、４に入射する。被写体５からの入射光は、二次結合レンズ３、４によって２つに分離される。分離された二つの入射光が焦点検出装置１に入射する。焦点検出装置１は、二つの入射光に基づく信号を、演算処理部７に出力する。演算処理部７は、焦点検出装置１から入力される信号によって焦点と撮像面６とのずれを検出する。そして、演算処理部７は、検出した焦点と撮像面６とのずれを減少するように、レンズ駆動部８を制御する。レンズ駆動部８は、演算処理部７からの制御に基づいて、撮像レンズ２を駆動する。光電変換システムは、演算処理部７の焦点の検出結果に基づいて撮像レンズ２を駆動することで、撮像面６に対して焦点を合わせることができる。撮像レンズ２は焦点検出装置１に入射光を導く光学系である。
【００１８】
図２（ａ）は、図１に示した焦点検出装置１を示した図である。
【００１９】
焦点検出装置１は、複数の単位セル１００を有する。また、焦点検出装置１は単位セル１００に対応して設けられた電流源１０５を有する。また、焦点検出装置１は単位セル１００の各々に対応して設けられた垂直出力線１１０を有する。さらに、焦点検出装置１は、信号処理部２００と、タイミング発生回路３００とを有する。
【００２０】
単位セル１００は、光電変換部１０１、トランジスタ１０２、トランジスタ１０３、トランジスタ１０４を有する。タイミング発生回路３００は、転送制御線１０６を介して、トランジスタ１０２の制御ノードに信号φＰＴＸを出力する。トランジスタ１０２は、光電変換部１０１で生成した電荷をトランジスタ１０３の入力ノードに転送する転送スイッチである。タイミング発生回路３００が信号φＰＴＸをＨｉｇｈレベル（以下、Ｈレベルと表す。）とすると、トランジスタ１０２はオンとなる。オンとなったトランジスタ１０２は、光電変換部１０１の電荷をトランジスタ１０３の入力ノードに転送する。電源線１０７は、トランジスタ１０３の一方の主ノードに電圧ＶＤＤを供給する。また、電流源１０５は、トランジスタ１０３と垂直出力線１１０に電流を供給する。電源線１０７、トランジスタ１０３、電流源１０５によって、ソースフォロワ回路が構成される。これにより、トランジスタ１０３は入力ノードに転送された電荷に基づく信号を垂直出力線１１０に出力する。トランジスタ１０３は、光電変換部１０１の電荷に基づく信号を出力する出力部である。
【００２１】
タイミング発生回路３００は、リセット制御線１０８を介して、トランジスタ１０４の制御ノードに信号φＰＲＥＳを出力する。リセット電源線１０９は、電圧ＶＲＥＳをトランジスタ１０４の一方の主ノードに供給する。また、トランジスタ１０４の他方の主ノードは、トランジスタ１０３の入力ノードに電気的に接続されている。タイミング発生回路３００が信号φＰＲＥＳをＨレベルとすると、トランジスタ１０３の入力ノードの電位が、電圧ＶＲＥＳに基づく電位にリセットされる。
【００２２】
信号処理部２００は、単位セル１００に対応して設けられた積算回路２０１を有する。また、信号処理部２００は、演算回路２０２を有する。また、信号処理部２００は、単位セル１００に対応して設けられたＣＤＳ回路２０３を有する。また、信号処理部２００は、複数のＣＤＳ回路２０３を順次走査する走査回路２０４を有する。単位セル１００から垂直出力線１１０に出力された信号は、積算回路２０１に入力される。積算回路２０１は、単位セル１００が垂直出力線１１０に複数回出力する信号を積算した信号を生成する。それぞれの演算回路２０２は、該演算回路２０２に対応して設けられた積算回路２０１から信号が入力されると共に、積算回路２０１のそれぞれから入力される信号のうちの最大値の信号を検出する機能を有する。演算回路２０２は、該最大値の信号と、光電変換部１０１の電荷蓄積期間の終了となる信号レベルとを比較した結果を示す信号φＰＴＨをタイミング発生回路３００に出力する。タイミング発生回路３００は信号φＰＴＨの信号値に基づいて、光電変換部１０１の電荷蓄積期間の継続あるいは終了を決定する。
【００２３】
ＣＤＳ回路２０３は、演算回路２０２から入力される信号をＣＤＳ（ＣＤＳとは、Ｃｏｒｒｅｌａｔｅｄ  Ｄｏｕｂｌｅ  Ｓａｍｐｌｉｎｇの略である。）処理した信号を、端子ＳＯＵＴに出力する。端子ＳＯＵＴから出力される信号が、焦点検出装置１が出力する信号である。
【００２４】
図２（ｂ）は、図２（ａ）に示した焦点検出装置１の動作を示したタイミング図である。
【００２５】
図２（ｂ）に示したＶＩＮＴは、図２（ａ）に示した複数の積算回路２０１のうちの一つの積算回路２０１が演算回路２０２に出力する信号を示している。また、図２（ｂ）に示したＶＣＡＬは、演算回路２０２が、複数の積算回路２０１から入力される信号に基づいて生成する信号を示している。
【００２６】
時刻ｔ１に、タイミング発生回路３００は、信号φＰＴＸ、φＰＲＥＳをそれぞれＬｏｗレベル（以下、Ｌレベルと表記する。）からＨレベルにする。これにより、光電変換部１０１、トランジスタ１０３の入力ノードの電荷がリセットされる。
【００２７】
時刻ｔ２に、タイミング発生回路３００は、信号φＰＴＸをＨレベルからＬレベルにする。この時から、光電変換部１０１は入射光に基づく電荷の蓄積を行う。つまり、時刻ｔ２は、光電変換部１０１の電荷蓄積期間の開始タイミングである。その後、タイミング発生回路３００は信号φＰＲＥＳをＨレベルからＬレベルにする。単位セル１００のトランジスタ１０３は垂直出力線１１０に、電荷がリセットされた入力ノードの電位に基づく信号を出力する。この信号をノイズ信号と表記する。ＣＤＳ回路２０３は、垂直出力線１１０、積算回路２０１、演算回路２０２を介して入力される、単位セル１００のノイズ信号を保持する。
【００２８】
時刻ｔ３に、タイミング発生回路３００は、信号φＰＲＥＳをＬレベルからＨレベルにする。これにより、トランジスタ１０３の入力ノードの電荷が再びリセットされる。その後、タイミング発生回路３００は信号φＰＲＥＳをＨレベルからＬレベルにする。
【００２９】
時刻ｔ４に、タイミング発生回路３００は信号φＰＴＸをＬレベルからＨレベルにする。これにより、光電変換部１０１が時刻ｔ２から時刻ｔ３までの期間に蓄積した電荷がトランジスタ１０３の入力ノードに転送される。この時刻ｔ２から時刻ｔ３までの期間を、副蓄積期間と表記する。トランジスタ１０３は、光電変換部１０１が副蓄積期間に蓄積した電荷に基づく信号（以下、光電変換信号と表記する）を垂直出力線１１０に出力する。積算回路２０１は、対応する単位セル１００から入力される光電変換信号を保持する。積算回路２０１が出力する信号ＶＩＮＴの信号レベルはＶａとなる。演算回路２０２には、積算回路２０１のそれぞれから光電変換信号が入力される。演算回路２０２は、積算回路２０１のそれぞれから入力される光電変換信号のうちの最大値の信号Ｖａｍａｘを検出する。演算回路２０２が保持する信号ＶＣＡＬの信号レベルはＶａｍａｘとなる。演算回路２０２は、信号ＶＣＡＬと、光電変換部１０１の電荷蓄積期間の終了となる信号レベルＶｈとを比較した結果を示す信号φＰＴＨを生成している。図２（ｂ）に示した動作では、信号ＶＣＡＬは、信号レベルＶｈよりも振幅の小さいレベルのＶａｍａｘであるため、信号φＰＴＨはＬレベルのままである。タイミング発生回路３００は、信号φＰＴＨがＬレベルであることにより、副蓄積期間を繰り返す。これにより、光電変換部１０１の電荷蓄積期間が継続される。その後、タイミング発生回路３００は、信号φＰＴＸをＨレベルからＬレベルにする。これにより、光電変換部１０１は副蓄積期間として、再び電荷の蓄積を行う。
【００３０】
焦点検出装置１は、時刻ｔ５に、先述した時刻ｔ３と同様の動作を行う。また、焦点検出装置１は、時刻ｔ６に、先述した時刻ｔ４と同様の動作を行う。
【００３１】
これにより、積算回路２０１が出力する信号ＶＩＮＴは、先に保持した信号レベルＶａに、さらに単位セル１００の出力する光電変換信号を積算した信号レベルＶｂとなる。また、演算回路２０２は、積算回路２０１のそれぞれから入力される光電変換信号のうち、最大値のＶｂｍａｘを検出する。信号ＶＣＡＬの信号レベルＶｂｍａｘは、信号レベルＶｈよりも振幅が小さいため、信号φＰＴＨはＬレベルのままである。タイミング発生回路３００は、信号φＰＴＨがＬレベルであることにより、副蓄積期間を繰り返す。これにより、光電変換部１０１の電荷蓄積期間が継続される。
【００３２】
焦点検出装置１は、時刻ｔ７に、先述した時刻ｔ３と同様の動作を行う。また、焦点検出装置１は、時刻ｔ８に、先述した時刻ｔ４と同様の動作を行う。
【００３３】
これにより、積算回路２０１が出力する信号ＶＩＮＴは、先に保持した信号レベルＶｂに、さらに単位セル１００の出力する光電変換信号を積算した信号レベルＶｃとなる。また、演算回路２０２は、積算回路２０１のそれぞれから入力される光電変換信号のうち、最大値のＶｃｍａｘを検出する。信号ＶＣＡＬの信号レベルＶｃｍａｘは、信号レベルＶｈよりも振幅が大きいため、信号φＰＴＨはＬレベルからＨレベルに変化する。タイミング発生回路３００は、信号φＰＴＨがＨレベルであることにより、副蓄積期間の繰り返しを終了する。これにより、光電変換部１０１の電荷蓄積期間が終了する。
【００３４】
その後、演算回路２０２は、積算回路２０１のそれぞれの光電変換信号を、各積算回路２０１に対応するＣＤＳ回路２０３のそれぞれに出力する。ＣＤＳ回路２０３のそれぞれは、入力された光電変換信号と、保持していたノイズ信号との差の信号（以下、ＣＤＳ後信号と表記する。）を生成する。これにより、光電変換部１０１ごとの特性ばらつき、トランジスタ１０３ごとの特性ばらつき、積算回路２０１ごとの特性ばらつきによるノイズを低減したＣＤＳ後信号を得ることができる。
【００３５】
時刻ｔ９から、走査回路２０４は、各列のＣＤＳ回路２０３を順次走査する。これにより、各列のＣＤＳ回路２０３は、ＣＤＳ後信号を順次、端子ＳＯＵＴに出力する。
【００３６】
本実施例の焦点検出装置１では、積算回路２０１が副蓄積期間ごとの光電変換信号を積算した積算信号を生成する。そして、演算回路２０２が、積算信号の最大値と光電変換部１０１の電荷蓄積期間の終了となる信号レベルＶｈとを比較する。そして、焦点検出装置１は、積算信号の最大値が、信号レベルＶｈを越えた場合に、副蓄積期間の繰り返しを終了する。これにより、光電変換部１０１の電荷蓄積期間が終了する。
【００３７】
複数の光電変換部１０１の電荷蓄積期間の終了タイミングを、当該複数の光電変換部１０１とは別の光電変換部１０１に基づく光電変換信号によって決定する場合、入射光量の違いにより、電荷蓄積期間の終了タイミングを適切にしにくい。一方、本実施例の焦点検出装置１は、複数の光電変換部１０１の電荷蓄積期間の終了タイミングを、当該複数の光電変換部１０１に基づく光電変換信号によって決定する。これにより、当該複数の光電変換部１０１の電荷蓄積期間の終了タイミングを適切なものにしやすくすることができる。焦点検出装置１が適切な電荷蓄積期間に基づいた光電変換信号を出力しやすくなることによって、光電変換システムの合焦精度が向上する。
【００３８】
単位セル１００がトランジスタ１０２を有さない場合、副蓄積期間の間、トランジスタ１０３の入力ノードは光電変換部１０１の電荷を蓄積し続ける。この場合、トランジスタ１０３の入力ノードで生じる暗電流ノイズが、副蓄積期間が長くなるにつれて大きくなる。これに対し、本実施例の焦点検出装置は副蓄積期間ごとにオンする転送スイッチを有することにより、副蓄積期間ごとにトランジスタ１０３の入力ノードの電位をリセットすることができる。これにより、本実施例の焦点検出装置は、トランジスタ１０３の入力ノードで生じる暗電流ノイズを低減した信号を単位セル１００が出力することができる。よって、本実施例の光電変換システムは、単位セル１００がトランジスタ１０２を有さない場合に対して、焦点検出精度を向上させることができる。
【００３９】
尚、本実施例では、複数の光電変換部１０１に基づく光電変換信号によって、電荷蓄積期間の終了タイミングを決定していた。他の例として、一つの光電変換部１０１である第１の光電変換部１０１に基づく信号によって、第１の光電変換部１０１の電荷蓄積期間の終了タイミングを決定するようにしても良い。
【００４０】
また、本実施例では、積算回路２０１が、単位セル１００が複数回出力する信号を積算した信号に基づいて、電荷蓄積期間の終了タイミングを決定していた。他の例として、単位セル１００がｎ回（ｎは自然数）出力する信号の平均の信号を生成する。そして、この平均の信号にｎを乗算した信号レベルと、信号レベルＶｈとの比較結果に基づいて、タイミング発生回路３００が電荷蓄積期間の終了タイミングを決定するようにしても良い。
【００４１】
本実施例の焦点検出装置は、一定期間の副蓄積期間を繰り返したが、全ての副蓄積期間が同じ長さでなくても良い。
【００４２】
また、本実施例の焦点検出装置は、積算回路２０１が、単位セル１００の出力部の出力する信号を積算していた。他の例として、トランジスタ１０３の入力ノードで、光電変換部１０１の電荷を副蓄積期間ごとに積算する。そして、単位セル１００の出力部が、積算された電荷に基づく信号を演算回路２０２に出力する。そして、演算回路２０２は、複数の単位セル１００の出力部が出力する信号の信号レベルに基づいて、光電変換部１０１の電荷蓄積期間の終了タイミングを決定するようにしても良い。
【００４３】
（実施例２）
本実施例の焦点検出装置について、実施例１と異なる点を中心に説明する。
【００４４】
実施例１の焦点検出装置は、複数の光電変換部１０１に基づく光電変換信号の最大値に基づいて、電荷蓄積期間の終了タイミングを決定していた。本実施例の焦点検出装置は、複数の光電変換部１０１に基づく光電変換信号の最小値および最大値に基づいて、電荷蓄積期間の終了タイミングを決定する。
【００４５】
本実施例の焦点検出装置の構成は、図２（ａ）と同様である。
【００４６】
本実施例の焦点検出装置の動作について、図３を参照しながら説明する。
【００４７】
図３に示した信号ＶＣＡＬ１は、演算回路２０２が検出する、複数の積算回路２０１から入力される信号のうちの最大値の信号である。また、信号ＶＣＡＬ２は、演算回路２０２が検出する、複数の積算回路２０１から入力される信号のうちの最小値の信号である。
【００４８】
図３に示した信号φＰＴＬは、演算回路２０２がタイミング発生回路３００に出力する信号である。タイミング発生回路３００は、信号φＰＴＨおよびφＰＴＬの信号値が共にＨレベルになると、副蓄積期間の繰り返しを終了する。これにより、光電変換部１０１の電荷蓄積期間を終了する。
【００４９】
図３に示した信号レベルＶｌ、Ｖｈはそれぞれ、光電変換部１０１の電荷蓄積期間の終了タイミングを決定する閾値の信号レベルである。本実施例のタイミング発生回路３００は、信号ＶＣＡＬ１が信号レベルＶｈよりも振幅が大きく、かつ信号ＶＣＡＬ２が信号レベルＶｌよりも振幅が大きくなると、副蓄積期間の繰り返しを終了する。これにより、光電変換部１０１の電荷蓄積期間が終了する。
【００５０】
時刻ｔ１、ｔ２、ｔ３におけるタイミング発生回路３００の動作は、図２（ｂ）を参照しながら説明した時刻ｔ１、ｔ２、ｔ３のそれぞれの動作と同様である。
【００５１】
時刻ｔ４に、タイミング発生回路３００は信号φＰＴＸをＬレベルからＨレベルにする。これにより、複数の単位セル１００の各々が光電変換信号を、対応する積算回路２０１に出力する。複数の積算回路２０１の各々は、演算回路２０２に光電変換信号を出力する。信号ＶＣＡＬ１の信号レベルはＶａｍａｘである。信号レベルＶａｍａｘは、信号レベルＶｈよりも振幅が小さいため、信号φＰＴＨはＬレベルのままである。信号ＶＣＡＬ２の信号レベルはＶａｍｉｎである。信号レベルＶａｍｉｎは、信号レベルＶｌよりも振幅が大きいため、信号φＰＴＬはＬレベルからＨレベルとなる。タイミング発生回路３００は、信号φＰＴＨがＬレベルのままであるため、副蓄積期間を繰り返す。これにより、光電変換部１０１の電荷蓄積期間が継続される。
【００５２】
その後、タイミング発生回路３００は信号φＰＴＸをＨレベルからＬレベルにする。
【００５３】
時刻ｔ５の動作は、図２（ｂ）を参照しながら説明した時刻ｔ５の動作と同様である。
【００５４】
時刻ｔ６に、タイミング発生回路３００は信号φＰＴＸを再びＬレベルからＨレベルにする。これにより、複数の単位セル１００が光電変換信号を対応する積算回路２０１に出力する。複数の積算回路２０１のそれぞれは、入力された光電変換信号と、時刻ｔ４に入力された光電変換信号とを積算した積算信号を演算回路２０２に出力する。信号ＶＣＡＬ１の信号レベルはＶｂｍａｘ、信号ＶＣＡＬ２の信号レベルはＶｂｍｉｎとなる。信号レベルＶｂｍａｘは、信号レベルＶｈよりも振幅が小さいため、信号φＰＴＨはＬレベルのままである。よって、タイミング発生回路３００は、副蓄積期間を繰り返す。これにより、光電変換部１０１の電荷蓄積期間が継続される。
【００５５】
その後、タイミング発生回路３００は信号φＰＴＸをＨレベルからＬレベルにする。
【００５６】
時刻ｔ７の動作は、図２（ｂ）を参照しながら説明した時刻ｔ７の動作と同様である。
【００５７】
時刻ｔ８に、タイミング発生回路３００は信号φＰＴＸを再びＬレベルからＨレベルにする。これにより、複数の単位セル１００が光電変換信号を対応する積算回路２０１に出力する。複数の積算回路２０１のそれぞれは、入力された光電変換信号と、保持していた光電変換信号とを積算した積算信号を演算回路２０２に出力する。信号ＶＣＡＬ１の信号レベルはＶｃｍａｘ、信号ＶＣＡＬ２の信号レベルはＶｃｍｉｎとなる。信号レベルＶｃｍａｘは、信号レベルＶｈよりも振幅が大きいため、信号φＰＴＨはＬレベルからＨレベルに変化する。これにより、タイミング発生回路３００は、副蓄積期間の繰り返しを終了する。これにより、光電変換部１０１の電荷蓄積期間が終了する。
【００５８】
これにより、演算回路２０２は、積算回路２０１のそれぞれの積算信号を、対応するＣＤＳ回路２０３にそれぞれ出力する。ＣＤＳ回路２０３は、時刻ｔ９以降、走査回路２０４の走査に基づいて、ＣＤＳ後信号を端子ＳＯＵＴに出力する。
【００５９】
本実施例の焦点検出装置は、積算信号の最大値と最小値のそれぞれに基づいて、光電変換部１０１の電荷蓄積期間の終了タイミングを決定する。これにより、実施例１の焦点検出装置に比して、複数の光電変換部１０１の各々に基づく光電変換信号の信号レベルが所望の範囲内となってから、電荷蓄積期間を終了させることができる。よって、実施例１の焦点検出装置１に比して、電荷蓄積期間をさらに適切なタイミングで終了することができる。
【００６０】
本実施例の焦点検出装置は、一定期間の副蓄積期間を繰り返したが、全ての副蓄積期間が同じ長さでなくても良い。
【００６１】
また、本実施例の焦点検出装置は、信号処理部２００の演算結果をタイミング発生回路３００に出力していた。他の例として、信号処理部２００が演算結果を、焦点検出装置の他の構成部位や焦点検出装置外の部位を介して出力するようにしてもよい。
【００６２】
（実施例３）
本実施例の焦点検出装置について、実施例１と異なる点を中心に説明する。本実施例の焦点検出装置は、信号ＶＣＡＬが第１の信号レベルに達したタイミングと、信号ＶＣＡＬが第２の信号レベルに達したタイミングとから、電荷蓄積期間の長さを決定する。
【００６３】
本実施例の焦点検出装置の構成は、図２（ａ）と同様である。
【００６４】
本実施例の焦点検出装置の動作を、図４を参照しながら説明する。
【００６５】
本実施例の焦点検出装置は、信号ＶＣＡＬが信号レベルＶｈ１に達したタイミングと、信号ＶＣＡＬが信号レベルＶｈ２に達したタイミングとから、信号ＶＣＡＬがＶｄｍａｘになるように電荷蓄積期間の長さを決定する。
【００６６】
信号φＰＴＨ１は、演算回路２０２が信号レベルＶｈ１と信号ＶＣＡＬの信号レベルとを比較した結果を示す信号である。信号φＰＴＨ２は、演算回路２０２が信号レベルＶｈ２と信号ＶＣＡＬの信号レベルとを比較した結果を示す信号である。
【００６７】
時刻ｔ１から時刻ｔ４については、図３を参照しながら説明した時刻ｔ１から時刻ｔ４のそれぞれの動作と同様である。
【００６８】
時刻ｔ４に、信号φＰＴＨ１はＬレベルからＨレベルに変化する。演算回路２０２は信号φＰＴＨ１がＬレベルからＨレベルになったタイミングが、時刻ｔ４であることを記憶する。
【００６９】
時刻ｔ５から時刻ｔ８までの動作は、図３を参照しながら説明した時刻ｔ５から時刻ｔ８のそれぞれの動作と同様である。
【００７０】
時刻ｔ８に、信号φＰＴＨ２はＬレベルからＨレベルに変化する。演算回路２０２は信号φＰＴＨ２がＬレベルからＨレベルになったタイミングが、時刻ｔ８であることを記憶する。
【００７１】
演算回路２０２は、信号φＰＴＨ１がＨレベルとなってから信号φＰＴＨ２がＨレベルとなるまでの期間である、時刻ｔ４から時刻ｔ８までの期間の長さを算出する。そして演算回路２０２は、信号ＶＣＡＬの単位時間当たりの信号増加量を算出する。そして、演算回路２０２は信号ＶＣＡＬが、信号レベルＶｄｍａｘに達する時刻を算出する。こうして算出された、信号ＶＣＡＬが信号レベルＶｄｍａｘに達すると予想される時刻が時刻ｔ９である。演算回路２０２は、信号ＶＣＡＬが信号レベルＶｄｍａｘに達すると予想される時刻が時刻ｔ９であるとの情報を、タイミング発生回路３００に出力する。
【００７２】
タイミング発生回路３００は、演算回路２０２から入力された情報に基づいて、時刻ｔ９に信号φＰＴＸをＨレベルからＬレベルにする。これにより、信号ＶＣＡＬの信号レベルがＶｄｍａｘとなる。
【００７３】
その後、演算回路２０２は、積算回路２０１のそれぞれの積算信号を、対応するＣＤＳ回路２０３にそれぞれ出力する。ＣＤＳ回路２０３は、時刻ｔ１０以降、走査回路２０４の走査に基づいて、ＣＤＳ後信号を端子ＳＯＵＴに出力する。
【００７４】
本実施例の焦点検出装置は、電荷蓄積期間の長さを、信号ＶＣＡＬが第１の信号レベルに達したタイミングと、信号ＶＣＡＬが第２の信号レベルに達したタイミングとから決定する。これにより、本実施例の焦点検出装置は、電荷蓄積期間の長さを、単位セル１００が好適な信号レベルの光電変換信号を出力する期間に決定することができる。
【００７５】
（実施例４）
本実施例の焦点検出装置について、実施例１と異なる点を中心に説明する。本実施例の焦点検出装置は、光電変換部１０１の副蓄積期間に基づく光電変換信号の信号レベルに基づいて、次の副蓄積期間の長さを制御する。
【００７６】
本実施例の焦点検出装置の構成は図２（ａ）と同様である。
【００７７】
図５は、本実施例の焦点検出装置１の動作を示した図である。信号レベルＶＨ１は、図５に示した副蓄積期間２の長さを決定するための信号レベルである。信号レベルＶＨ２は、電荷蓄積期間を終了するタイミングを決定するための信号レベルである。信号φＰＴＨ１は、演算回路２０２が信号ＶＣＡＬの信号レベルと信号レベルＶＨ１とを比較した結果を示す信号である。信号φＰＴＨ２は、演算回路２０２が信号ＶＣＡＬの信号レベルと信号レベルＶＨ２とを比較した結果を示す信号である。演算回路２０２は信号φＰＴＨ１、φＰＴＨ２をそれぞれタイミング発生回路３００に出力する。タイミング発生回路３００は、信号φＰＴＨ１に基づいて、副蓄積期間２の長さを制御する。また、タイミング発生回路３００は、信号φＰＴＨ２に基づいて、電荷蓄積期間の終了タイミングを制御する。
【００７８】
時刻ｔ１、ｔ２、ｔ３、ｔ４のそれぞれの動作は、図２（ｂ）を参照しながら説明した時刻ｔ１、ｔ２、ｔ３、ｔ４のそれぞれの動作と同様である。
【００７９】
時刻ｔ４に、タイミング発生回路３００は信号φＰＴＸをＬレベルからＨレベルにする。これにより、図５に示した副蓄積期間１に光電変換部１０１が蓄積した電荷に基づく光電変換信号を、複数の単位セル１００のそれぞれが、対応する積算回路２０１に出力する。信号ＶＣＡＬの信号レベルはＶａｍａｘとなる。信号レベルＶａｍａｘは、信号レベルＶＨ１よりも振幅が小さい。よって、信号φＰＴＨ１はＬレベルのままである。タイミング発生回路３００は、信号φＰＴＨ１がＬレベルであるので、副蓄積期間２の長さが、副蓄積期間１の長さよりも長くなるように、信号φＰＴＸをＨレベルにするタイミングを決定する。
【００８０】
時刻ｔ５の動作は、図２（ｂ）を参照しながら説明した時刻ｔ５の動作と同様である。
【００８１】
時刻ｔ６に、タイミング発生回路３００は信号φＰＴＸを再びＬレベルからＨレベルにする。信号ＶＣＡＬの信号レベルは、信号レベルＶＨ１、ＶＨ２の両方よりも振幅が大きい。よって、信号φＰＴＨ１、ＰＴＨ２はともにＬレベルからＨレベルとなる。タイミング発生回路３００は、信号ＰＴＨ２がＨレベルであることによって、光電変換部１０１の電荷蓄積期間を終了する。
【００８２】
本実施例の焦点検出装置１は、実施例１で述べた焦点検出装置１に比して、電荷蓄積期間中に単位セル１００が光電変換信号を積算回路２０１に出力する回数を減らせる場合がある。これにより、本実施例の焦点検出装置１は、電荷蓄積期間の開始から、端子ＳＯＵＴを介してＣＤＳ後信号を出力するまでの期間を、実施例１の焦点検出装置１に比して短縮することができる場合がある。よって、光電変換システムが合焦するまでの期間を、実施例１の焦点検出装置１を適用した場合に比して本実施例の焦点検出装置１を適用すると短縮することができる場合がある。
【００８３】
また、本実施例の焦点検出装置についても、実施例３のように、電荷蓄積期間の長さを、信号ＶＣＡＬが第１の信号レベルに達したタイミングと、信号ＶＣＡＬが第２の信号レベルに達したタイミングとから決定するようにしても良い。
【００８４】
（実施例５）
本実施例の焦点検出装置について、実施例４と異なる点を中心に説明する。本実施例の焦点検出装置は、副蓄積期間に基づく光電変換信号のレベルに基づいて、副蓄積期間後に行う電荷蓄積期間の長さを制御する。
【００８５】
本実施例の焦点検出装置の構成は、図２（ａ）と同様である。
【００８６】
図６は、本実施例の焦点検出装置１の動作を示した図である。
【００８７】
時刻ｔ１、ｔ２、ｔ３、ｔ４の動作はそれぞれ、図５を参照しながら説明した時刻ｔ１、ｔ２、ｔ３、ｔ４の動作と同様である。
【００８８】
タイミング発生回路３００は、時刻ｔ５において信号φＰＴＨ１がＬレベルであるため、電荷蓄積期間の長さを、副蓄積期間よりも長く決定する。
【００８９】
時刻ｔ５に、タイミング発生回路３００は、信号φＰＴＸ、φＰＲＥＳを共にＬレベルからＨレベルにする。これにより、光電変換部１０１とトランジスタ１０３の入力ノードの電荷がリセットされる。その後、タイミング発生回路３００は信号φＰＴＸをＨレベルからＬレベルにする。これにより、光電変換部１０１が電荷の蓄積を開始する。その後、タイミング発生回路３００は信号φＰＲＥＳをＨレベルからＬレベルにする。また、複数の積算回路２０１のそれぞれは保持した積算信号をリセットする。
【００９０】
時刻ｔ７に、タイミング発生回路３００は信号φＰＲＥＳをＬレベルからＨレベルにし、トランジスタ１０３の入力ノードの電荷をリセットする。その後、タイミング発生回路３００は信号φＰＲＥＳをＨレベルからＬレベルにする。
【００９１】
時刻ｔ８に、タイミング発生回路３００は信号φＰＴＸをＬレベルからＨレベルにする。これにより、複数の単位セル１００のそれぞれが、対応する積算回路２０１に光電変換信号を出力する。この時刻ｔ６から時刻ｔ８までの電荷蓄積期間は、時刻ｔ２から時刻ｔ４までの副蓄積期間よりも長い期間である。
【００９２】
信号ＶＣＡＬの信号レベルが信号レベルＶＨ１、ＶＨ２の両方よりも振幅が大きいため、信号φＰＴＨ１、ＰＴＨ２は共にＬレベルからＨレベルになる。これにより、タイミング発生回路３００は光電変換部１０１の電荷蓄積期間を終了する。一方、仮に信号ＶＣＡＬの信号レベルが信号レベルＶＨ１よりも振幅が小さい場合には、信号φＰＴＨ１が引き続きＬレベルとなる。この場合、タイミング発生回路３００は再び時刻ｔ５のリセット動作と同様の動作を行った後に、光電変換部１０１の電荷蓄積期間を設けて、再度、光電変換部１０１に電荷蓄積動作を行わせる。そして、積算回路２０１が、追加された電荷蓄積期間に基づく光電変換信号と、時刻ｔ８に入力された光電変換信号とを積算した信号を演算回路２０２に出力するようにすればよい。
【００９３】
尚、時刻ｔ８に、信号ＰＴＨ１がＨレベル、信号ＰＴＨ２がＬレベルである場合についても、タイミング発生回路３００は、時刻ｔ５に行ったリセット動作と同様の動作を行った後に、光電変換部１０１の電荷蓄積期間を再び設ければよい。
【００９４】
本実施例の焦点検出装置１も、実施例１で述べた焦点検出装置１に比して、電荷蓄積期間中に単位セル１００が光電変換信号を積算回路２０１に出力する回数を減らせる場合がある。これにより、本実施例の焦点検出装置１は、電荷蓄積期間の開始から、端子ＳＯＵＴを介してＣＤＳ後信号を出力するまでの期間を、実施例１の焦点検出装置１に比して短縮することができる場合がある。よって、光電変換システムが合焦するまでの期間を、実施例１の焦点検出装置１を適用した場合に比して本実施例の焦点検出装置１を適用すると短縮することができる場合がある。
【００９５】
また、本実施例の焦点検出装置についても、実施例３のように、電荷蓄積期間の長さを、信号ＶＣＡＬが第１の信号レベルに達したタイミングと、信号ＶＣＡＬが第２の信号レベルに達したタイミングとから決定するようにしても良い。
【００９６】
（実施例６）
本実施例の焦点検出装置について、実施例１と異なる点を中心に説明する。
【００９７】
本実施例の焦点検出装置の単位セル１００の構成は、図２（ａ）に示した構成と同様である。
【００９８】
本実施例は、信号処理部２００の構成が、図２（ａ）に示した構成と異なる。
【００９９】
図７は、本実施例の焦点検出装置の信号処理部２００を示した図である。本実施例の信号処理部２００は、増幅回路２０５を有している。演算回路２０２は、増幅率制御線２０６によって、増幅回路２０５の増幅率を制御する。増幅回路２０５は、演算回路２０２によって設定される増幅率に基づいて、ＣＤＳ回路２０３が出力するＣＤＳ後信号を増幅した信号を端子ＳＯＵＴに出力する。
【０１００】
これにより、本実施例の焦点検出装置は、ＣＤＳ後信号を増幅した信号を得ることができる。
【０１０１】
尚、本実施例の焦点検出装置の信号処理部２００を実施例５の焦点検出装置に適用した場合について述べる。図６に示した動作では、副蓄積期間に基づく信号ＶＣＡＬの信号レベルＶａｍａｘは信号レベルＶＨ１よりも振幅が小さいため、信号φＰＴＨ１はＬレベルのままである。演算回路２０２は、信号φＰＴＨ１がＬレベルである場合には、信号φＰＴＨ１がＨレベルである場合に比して、増幅回路２０５の増幅率を高く設定する。これにより、電荷蓄積期間に基づく信号ＶＣＡＬの信号レベルが小さくても、増幅回路２０５がＣＤＳ後信号を増幅した信号を端子ＳＯＵＴに出力することで、図１に示した光電変換システムは焦点検出を行うことができる。
【０１０２】
また、実施例２の焦点検出装置が、本実施例の図７の信号処理部２００を有するようにしてもよい。この場合には、図３を参照しながら述べたように、信号ＶＣＡＬ２の振幅が信号レベルＶｌよりも大きくなったタイミングと、信号ＶＣＡＬ１の振幅が信号レベルＶｈよりも大きくなったタイミングとの時間差を、演算回路２０２が得るようにしても良い。この信号ＶＣＡＬ２の振幅が信号レベルＶｌよりも大きくなったタイミングと、信号ＶＣＡＬ１の振幅が信号レベルＶｈよりも大きくなったタイミングとの時間差に基づいて、演算回路２０２が、増幅回路２０５の増幅率を設定するようにしても良い。
【０１０３】
（実施例７）
本実施例の焦点検出装置について、図面を参照しながら説明する。
【０１０４】
図８は、本実施例の焦点検出装置を示している。
【０１０５】
図８に示した焦点検出装置は、複数の光電変換部１０１を一次元に配置して構成されるラインセンサ２０〜２７を有している。
【０１０６】
ラインセンサ２０〜２７の各々は、３つの領域に分割されており、領域のそれぞれに、１つの信号処理部２００と複数の単位セル１００とを有している。ラインセンサ対１０は、ラインセンサ２０、２１で構成される。ラインセンサ対１１は、ラインセンサ２２、２３で構成される。ラインセンサ対１２は、ラインセンサ２４、２５で構成される。ラインセンサ対１３は、ラインセンサ２６、２７で構成される。
【０１０７】
ラインセンサ対１０〜１３の各々は、図１に示した二次結合レンズ３、４によって二つに分けられた被写体像のそれぞれが、ラインセンサ対を構成するラインセンサのそれぞれに入射されるように配置されている。
【０１０８】
本実施形によれば、複数のラインセンサ対１０〜１３を配置しているため、被写体像に対して複数の測距点を設けることができる。更に、複数のラインセンサ２０〜２７の各々を複数の領域に分割し、領域毎に信号処理部２００を備えている。これにより、さらに多くの測距点を設けることができる。
【０１０９】
本実施例の焦点検出装置は、四つのラインセンサ対１０〜１３を配置するとともに、ラインセンサ２０〜２７の各々を三つの領域に分割していた。本実施例の焦点検出装置のラインセンサ対の数および各ラインセンサの分割された領域の数は、これに限るものではない。
【符号の説明】
【０１１０】
１  焦点検出装置
１００  単位セル
２００  信号処理部
２０１  積算回路
２０２  演算回路
２０３  ＣＤＳ回路
２０４  走査回路
【図１】
2015059961.tif 000003
【図２】
2015059961.tif 000004
【図３】
2015059961.tif 000005
【図４】
2015059961.tif 000006
【図５】
2015059961.tif 000007
【図６】
2015059961.tif 000008
【図７】
2015059961.tif 000009
【図８】
2015059961.tif 000010